【手続補正書】
【提出日】令和3年8月17日(2021.8.17)
【手続補正１】
【補正対象書類名】特許請求の範囲
【補正対象項目名】全文
【補正方法】変更
【補正の内容】
【特許請求の範囲】
【請求項１】
モータを備えた電動作業機に搭載されるように構成された通信ユニットであって、
前記電動作業機に離脱可能に接続するように構成された接続部と、
無線により通信を行うように構成された通信回路と、
表示部と、
前記モータが駆動されているか否かを示す動作情報を前記通信回路を介して送信するように構成された通信制御部と、
前記モータが駆動されていることに応じて、前記モータが駆動されていることを示す第１の情報を前記表示部に表示し、前記モータが停止していることに応じて、前記モータが停止していることを示す第２の情報を前記表示部に表示するように構成された、表示制御部と、
を備える通信ユニット。
【請求項２】
請求項１に記載の通信ユニットであって、
前記通信制御部は、動作送信モードに設定されるように構成されており、
前記動作送信モードにおける前記通信制御部は、前記動作情報を送信するように構成されており、
前記表示制御部は、前記通信制御部が前記動作送信モードに設定されることに応じて前記第１の情報又は前記第２の情報を前記表示部に表示するように構成されている、
通信ユニット。
【請求項３】
請求項２に記載の通信ユニットであって、
前記通信制御部は、さらに、登録送信モードに設定されるように構成されており、
前記登録送信モードにおける前記通信制御部は、前記通信回路を介して登録情報を送信するように構成され、前記登録情報は、前記通信ユニットを特定する通信ユニット情報を登録する指示を含み、
前記表示制御部は、前記通信制御部が前記登録送信モードに設定されることに応じて、前記通信制御部が前記登録送信モードに設定されていることを示す第３の情報を前記表示部に表示するように構成されている、
通信ユニット。
【請求項４】
請求項３に記載の通信ユニットであって、
前記通信制御部は、さらに、削除送信モードに設定されるように構成されており、
前記削除送信モードにおける前記通信制御部は、前記通信回路を介して削除情報を送信するように構成され、前記削除情報は、前記通信ユニット情報を削除する指示を含み、
前記表示制御部は、前記通信制御部が前記削除送信モードに設定されることに応じて、前記通信制御部が前記削除送信モードに設定されていることを示す第４の情報を前記表示部に表示するように構成されている、
通信ユニット。
【請求項５】
請求項２〜請求項４のいずれか１項に記載の通信ユニットであって、
前記通信制御部は、さらに、前記接続部が前記電動作業機に接続することに応じて待機送信モードに設定されるように構成され、
前記待機送信モードにおける前記通信制御部は、前記通信回路を介して前記通信ユニットを示す識別情報を送信するように構成され、
前記表示制御部は、前記通信制御部が前記待機送信モードに設定されることに応じて、前記通信制御部が前記待機送信モードに設定されていることを示す第５の情報を前記表示部に表示するように構成されている、
通信ユニット。
【請求項６】
請求項１〜請求項５のいずれか１項に記載の通信ユニットであって、
前記表示制御部は、前記モータが駆動されているか否かを示す動作信号を受けるように構成されており、
前記表示制御部は、前記動作信号に従って前記第１の情報又は前記第２の情報を前記表示部に表示するように構成されている、
通信ユニット。
【請求項７】
請求項６に記載の通信ユニットであって、
前記表示制御部は、前記電動作業機から前記接続部を介して前記動作信号を受けるように構成されている、通信ユニット。
【請求項８】
請求項６または請求項７に記載の通信ユニットであって、
前記通信制御部は、前記動作信号を受けるように構成されており、
前記通信制御部は、前記動作信号に対応した前記動作情報を送信するように構成されている、
通信ユニット。
【請求項９】
請求項８に記載の通信ユニットであって、
前記通信制御部は、前記電動作業機から前記接続部を介して前記動作信号を受けるように構成されている、通信ユニット。
【請求項１０】
請求項１〜請求項９のいずれか１項に記載の通信ユニットであって、
前記表示部はＬＥＤを備える、通信ユニット。
【請求項１１】
第１の電動作業機に搭載されるように構成された第１の通信ユニットであって、
前記第１の電動作業機に離脱可能に接続するように構成された接続部と、
無線により通信を行うように構成された通信回路と、
表示部と、
前記通信回路を介して動作情報を受信するように構成された通信制御部であって、受信した前記動作情報を前記第１の電動作業機へ出力するように構成され、前記動作情報は第２の電動作業機に設けられた第２の通信ユニットから無線送信され、前記動作情報は前記第２の電動作業機におけるモータが駆動されているか否かを示す、通信制御部と、
前記モータが駆動されていることを前記動作情報が示していることに応じて、前記モータが駆動されていることを示す第１の情報を前記表示部に表示し、前記モータが停止していることを前記動作情報が示していることに応じて、前記モータが停止していることを示す第２の情報を前記表示部に表示するように構成されている、表示制御部と、
を備える第１の通信ユニット。
【請求項１２】
請求項１１に記載の第１の通信ユニットであって、
前記通信制御部は、動作受信モードに設定されるように構成されており、
前記動作受信モードにおける前記通信制御部は、前記動作情報を前記第１の電動作業機へ出力するように構成されており、
前記表示制御部は、前記通信制御部が前記動作受信モードに設定されることに応じて前記第１の情報又は前記第２の情報を前記表示部に表示するように構成されている、
第１の通信ユニット。
【請求項１３】
請求項１２に記載の第１の通信ユニットであって、
前記第２の通信ユニットは、登録情報を送信するように構成され、前記登録情報は、前記第２の通信ユニットを特定する通信ユニット情報を登録する指示を含み、
前記通信制御部は、さらに、登録受信モードに設定されるように構成されており、
前記登録受信モードにおける前記通信制御部は、前記通信回路を介して受信した前記通信ユニット情報を登録するように構成されており、
前記表示制御部は、前記通信制御部が前記登録受信モードに設定されることに応じて、前記通信制御部が前記登録受信モードに設定されていることを示す第３の情報を前記表示部に表示するように構成されている、
第１の通信ユニット。
【請求項１４】
請求項１３に記載の第１の通信ユニットであって、
前記第２の通信ユニットは、削除情報を送信するように構成され、前記削除情報は、前記通信ユニット情報を削除する指示を含み、
前記通信制御部は、さらに、削除受信モードに設定されるように構成されており、
前記削除受信モードにおける前記通信制御部は、前記通信回路を介して前記削除情報を受信することに応じて前記通信ユニット情報を削除するように構成されており、
前記表示制御部は、前記通信制御部が前記削除受信モードに設定されることに応じて、前記通信制御部が前記削除受信モードに設定されていることを示す第４の情報を前記表示部に表示するように構成されている、
第１の通信ユニット。
【請求項１５】
請求項１２〜請求項１４のいずれか１項に記載の第１の通信ユニットであって、
前記通信制御部は、さらに、前記接続部が前記第１の電動作業機に接続することに応じて待機受信モードに設定されるように構成されており、
前記待機受信モードにおける前記通信制御部は、前記動作情報を受信することに応じて前記動作受信モードに設定されるように構成されており、
前記表示制御部は、前記通信制御部が前記待機受信モードに設定されることに応じて、前記通信制御部が前記待機受信モードに設定されていることを示す第５の情報を前記表示部に表示するように構成されている、
第１の通信ユニット。
【請求項１６】
請求項１１〜請求項１５のいずれか１項に記載の第１の通信ユニットであって、
前記表示部はＬＥＤを備える、第１の通信ユニット。
【請求項１７】
請求項１１〜請求項１６のいずれか１項に記載の第１の通信ユニットであって、
前記通信制御部は、前記第１の電動作業機へ前記接続部を介して前記動作情報を出力するように構成されている、第１の通信ユニット。
【請求項１８】
請求項１１〜請求項１７のいずれか１項に記載の第１の通信ユニットであって、
前記第１の電動作業機は集塵機を備える、第１の通信ユニット。
【請求項１９】
第１の電動作業機であって、
第１のモータと、
前記第１のモータにより駆動されるように構成された作業機要素と、
無線により通信を行うように構成された通信回路と、
表示部と、
前記通信回路を介して動作情報を受信するように構成された通信制御部であって、前記動作情報は第２の電動作業機に設けられた通信ユニットから無線送信され、前記動作情報は前記第２の電動作業機における第２のモータが駆動されているか否かを示す、通信制御部と、
前記第２のモータが駆動されていることを前記動作情報が示していることに応じて前記第１のモータを駆動するように構成されたモータ制御部と、
前記第２のモータが駆動されていることを前記動作情報が示していることに応じて、前記第２のモータが駆動されていることを示す第１の情報を前記表示部に表示し、前記第２のモータが停止していることを前記動作情報が示していることに応じて、前記第２のモータが停止していることを示す第２の情報を前記表示部に表示するように構成されている、表示制御部と、
を備える第１の電動作業機。
【請求項２０】
請求項１９に記載の第１の電動作業機であって、
前記第１の電動作業機は集塵機を備える、第１の電動作業機。
【手続補正２】
【補正対象書類名】明細書
【補正対象項目名】発明の名称
【補正方法】変更
【補正の内容】
【発明の名称】通信ユニットおよび電動作業機
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
本開示の１つの局面は、第１の電動作業機の作動状態を示す情報が外部へ送信されるように構成されている場合において、第１の電動作業機の作動状態を容易に認識できることが好ましい。
【手続補正６】
【補正対象書類名】明細書
【補正対象項目名】０００７
【補正方法】変更
【補正の内容】
【０００７】
本開示の１つの局面における通信ユニットは、モータを備えた電動作業機に搭載される。通信ユニットは、接続部と、通信回路と、表示部と、通信制御部と、表示制御部とを備える。接続部は、電動作業機に離脱可能に接続するように構成されている。通信回路は、無線により通信を行うように構成されている。通信制御部は、モータが駆動されているか否かを示す動作情報を通信回路を介して送信するように構成されている。表示制御部は、モータが駆動されていることに応じて、モータが駆動されていることを示す第１の情報を表示部に表示し、モータが停止していることに応じて、モータが停止していることを示す第２の情報を表示部に表示するように構成されている。
通信ユニットは次のように構成されていてもよい。即ち、通信制御部は、動作送信モードに設定される。動作送信モードにおける通信制御部は、動作情報を送信する。表示制御部は、通信制御部が動作送信モードに設定されることに応じて、第１の情報又は第２の情報を表示部に表示する。
通信ユニットは次のように構成されていてもよい。即ち、通信制御部は、さらに、登録送信モードに設定される。登録送信モードにおける通信制御部は、通信回路を介して登録情報を送信する。登録情報は、通信ユニットを特定する通信ユニット情報を登録する指示を含む。表示制御部は、通信制御部が登録送信モードに設定されることに応じて、通信制御部が登録送信モードに設定されていることを示す第３の情報を表示部に表示する。
通信ユニットは次のように構成されていてもよい。即ち、通信制御部は、さらに、削除送信モードに設定される。削除送信モードにおける通信制御部は、通信回路を介して削除情報を送信する。削除情報は、通信ユニット情報を削除する指示を含む。表示制御部は、通信制御部が削除送信モードに設定されることに応じて、通信制御部が削除送信モードに設定されていることを示す第４の情報を表示部に表示する。
通信ユニットは次のように構成されていてもよい。即ち、通信制御部は、さらに、接続部が電動作業機に接続することに応じて待機送信モードに設定される。待機送信モードにおける通信制御部は、通信回路を介して通信ユニットを示す識別情報を送信する。表示制御部は、通信制御部が待機送信モードに設定されることに応じて、通信制御部が待機送信モードに設定されていることを示す第５の情報を表示部に表示する。
通信ユニットは次のように構成されていてもよい。即ち、表示制御部は、モータが駆動されているか否かを示す動作信号を受ける。表示制御部は、動作信号に従って第１の情報又は第２の情報を表示部に表示する。
通信ユニットは次のように構成されていてもよい。即ち、表示制御部は、電動作業機から接続部を介して動作信号を受ける。
通信ユニットは次のように構成されていてもよい。即ち、通信制御部は、動作信号を受ける。通信制御部は、動作信号に対応した動作情報を送信する。
通信ユニットは次のように構成されていてもよい。即ち、通信制御部は、電動作業機から接続部を介して動作信号を受ける。
通信ユニットは次のように構成されていてもよい。即ち、表示部はＬＥＤを備える。
本開示の別の一局面における第１の通信ユニットは、第１の電動作業機に搭載される。第１の通信ユニットは、接続部と、通信回路と、表示部と、通信制御部と、表示制御部とを備える。接続部は、第１の電動作業機に離脱可能に接続する。通信回路は、無線により通信を行う。通信制御部は、通信回路を介して動作情報を受信する。通信制御部は、受信した動作情報を第１の電動作業機へ出力する。動作情報は、第２の電動作業機に設けられた第２の通信ユニットから無線送信される。動作情報は、第２の電動作業機におけるモータが駆動されているか否かを示す。表示制御部は、モータが駆動されていることを動作情報が示していることに応じて、モータが駆動されていることを示す第１の情報を表示部に表示し、モータが停止していることを動作情報が示していることに応じて、モータが停止していることを示す第２の情報を表示部に表示する。
第１の通信ユニットは次のように構成されていてもよい。即ち、通信制御部は、動作受信モードに設定される。動作受信モードにおける通信制御部は、動作情報を第１の電動作業機へ出力する。表示制御部は、通信制御部が動作受信モードに設定されることに応じて第１の情報又は第２の情報を表示部に表示する。
第１の通信ユニットは次のように構成されていてもよい。即ち、第２の通信ユニットは、登録情報を送信する。登録情報は、第２の通信ユニットを特定する通信ユニット情報を登録する指示を含む。通信制御部は、さらに、登録受信モードに設定されるように構成されている。登録受信モードにおける通信制御部は、通信回路を介して受信した通信ユニット情報を登録する。表示制御部は、通信制御部が登録受信モードに設定されることに応じて、通信制御部が登録受信モードに設定されていることを示す第３の情報を表示部に表示する。
第１の通信ユニットは次のように構成されていてもよい。即ち、第２の通信ユニットは、削除情報を送信する。削除情報は、通信ユニット情報を削除する指示を含む。通信制御部は、さらに、削除受信モードに設定されるように構成されている。削除受信モードにおける通信制御部は、通信回路を介して削除情報を受信することに応じて通信ユニット情報を削除する。表示制御部は、通信制御部が削除受信モードに設定されることに応じて、通信制御部が削除受信モードに設定されていることを示す第４の情報を表示部に表示する。
第１の通信ユニットは次のように構成されていてもよい。即ち、通信制御部は、さらに、接続部が第１の電動作業機に接続することに応じて待機受信モードに設定されるように構成されている。待機受信モードにおける通信制御部は、動作情報を受信することに応じて動作受信モードに設定されるように構成されている。表示制御部は、通信制御部が待機受信モードに設定されることに応じて、通信制御部が待機受信モードに設定されていることを示す第５の情報を表示部に表示する。
第１の通信ユニットは次のように構成されていてもよい。即ち、表示部はＬＥＤを備える。
第１の通信ユニットは次のように構成されていてもよい。即ち、通信制御部は、第１の電動作業機へ接続部を介して動作情報を出力する。
第１の通信ユニットは次のように構成されていてもよい。即ち、第１の電動作業機は集塵機を備える。
本開示のさらに別の一局面における第１の電動作業機は、第１のモータと、第１のモータにより駆動されるように構成された作業機要素とを備える。第１の電動作業機は、さらに、通信回路と、表示部と、通信制御部と、モータ制御部と、表示制御部とを備える。通信回路は、無線により通信を行う。通信制御部は、通信回路を介して動作情報を受信する。動作情報は、第２の電動作業機に設けられた通信ユニットから無線送信される。動作情報は、第２の電動作業機における第２のモータが駆動されているか否かを示す。モータ制御部は、第２のモータが駆動されていることを動作情報が示していることに応じて第１のモータを駆動する。表示制御部は、第２のモータが駆動されていることを動作情報が示していることに応じて、第２のモータが駆動されていることを示す第１の情報を表示部に表示し、第２のモータが停止していることを動作情報が示していることに応じて、第２のモータが停止していることを示す第２の情報を表示部に表示する。
第１の電動作業機は次のように構成されていてもよい。即ち、第１の電動作業機は集塵機を備える。
本開示のさらに別の１つの局面における電動作業機用通信ユニット（以下、「通信ユニット」と略称する）は、電動作業機に搭載されるように構成され、通信部と、通信制御部とを備える。通信部は、無線により通信を行うように構成されている。通信制御部は、通信部を介して情報の送信を行うように構成され、動作モードとして、少なくとも１つの送信モードを有する。その少なくとも１つの送信モードには、動作送信モードが含まれる。動作送信モードは、電動作業機における作業機要素の動作状態を示す動作情報を通信部を介して周期的に送信する動作モードである。
【手続補正７】
【補正対象書類名】明細書
【補正対象項目名】０００８
【補正方法】変更
【補正の内容】
【０００８】
このような構成によれば、動作モードが動作送信モードに設定されている場合、動作情報が周期的に送信される。これにより、動作情報を受信可能に構成された他の少なくとも１つの電動作業機は、周期的に受信される動作情報に応じて容易に送信元の電動作業機と連動して作動することができる。そのため、他の電動作業機を連動して作動させる際のユーザの使い勝手を向上させることができる。
即ち、異なる電動作業機同士で通信手段を用いて通信を行う場合、一般には、特定の相手のみと一対一で通信を行う。つまり、連動させたい特定の相手を指定してその特定の相手と通信を行うことによりその特定の相手を連動させることが一般的である。
しかし、そのような特定の相手のみとの連動は、ユーザにとって必ずしも使い勝手が良いとは言えない。例えば、ある電動作業機の作動時に、他の２つ以上の電動作業機を連動させたい場合も生じ得る。
これに対し、本開示の電動作業機によれば、他の電動作業機を連動して作動させる際のユーザの使い勝手を向上させることができる。